(57)【要約】      （修正有）【課題】揺れたり横転しても、ご飯・複数種のおかず類が相互に入り混じるのが阻止され、開封して食べる際に、ご飯やおかず類の個別の味を堪能でき、かつ、衛生的に保持でき劣化しにくい弁当を提供する。【解決手段】上方開口状ケース本体１と、ケース本体１内に密接状に収納されると共にご飯・おかず類２が入れられた複数の上方開口状小ケース体３を、備える。かつ、内部を真空状態にしてケース本体１及び複数の小ケース体３を密封包囲した真空パック袋４を、備える。小ケース体３の上端縁部３ａは、縦断面においてアール状に形成される。かつ、小ケース体３の上端縁部３ａが、ケース本体１の上端縁部１ａよりも高くなるように設定される。そして、各小ケース体３内に入れられたご飯・おかず類２が、独立状に保持される。【選択図】図４
0003113186.tif 000002
【実用新案登録請求の範囲】
【請求項１】
上方開口状ケース本体（１）と、該ケース本体（１）内に密接状に収納されると共にご飯・おかず類（２）が入れられた複数の上方開口状小ケース体（３）と、内部を真空状態にして該ケース本体（１）及び該複数の小ケース体（３）を密封包囲した真空パック袋（４）と、を備えたことを特徴とする弁当。
【請求項２】
上方開口状ケース本体（１）と、該ケース本体（１）内に密接状に収納されると共に上端縁部（３ａ）が該ケース本体（１）の上端縁部（１ａ）よりも高くなるように設定されご飯・おかず類（２）が入れられた複数の上方開口状小ケース体（３）と、内部を真空状態にして該ケース本体（１）及び該複数の小ケース体（３）を密封包囲した真空パック袋（４）と、を備え、
各上記小ケース体（３）内に入れられたご飯・おかず類（２）が、独立状に保持されたことを特徴とする弁当。
【請求項３】
上方開口状ケース本体（１）と、上端縁部（３ａ）が縦断面においてアール状に形成されると共に該ケース本体（１）内に密接状に収納されご飯・おかず類（２）が入れられた複数の上方開口状小ケース体（３）と、内部を真空状態にして該ケース本体（１）及び該複数の小ケース体（３）を密封包囲した真空パック袋（４）と、を備え、
各上記小ケース体（３）内に入れられたご飯・おかず類（２）が、独立状に保持されたことを特徴とする弁当。
【請求項４】
上方開口状ケース本体（１）と、該ケース本体（１）内に収納されると共に外周壁部（20）を有し該外周壁部（20）の内部に仕切り壁部（19）を有してご飯・おかず類（２）が複数に分けて入れられた上方開口状内装ケース体（18）と、内部を真空状態にして該ケース本体（１）及び該内装ケース体（18）を密封包囲した真空パック袋（４）と、を備え、上記内装ケース体（18）の上記仕切り壁部（19）及び上記外周壁部（20）の各上端縁部（19ａ)(20ａ）が、上記ケース本体（１）の上端縁部（１ａ）よりも高くなるように設定され、
上記内装ケース体（18）内にて上記仕切り壁部（19）で分けられたご飯・おかず類（２）が、独立状に保持されたことを特徴とする弁当。
【請求項５】
外周壁部（15）と該外周壁部（15）の内部の仕切り壁部（12）とを有して該仕切り壁部（12）にてご飯・おかず類（２）が複数に分けて入れられた上方開口状ケース体（11）と、内部を真空状態にして該ケース体（11）を密封包囲した真空パック袋（４）と、を備え、上記ケース体（11）の上記仕切り壁部（12）の上端縁部（12ａ）が、上記ケース体（11）の上記外周壁部（15）の上端縁部（15ａ）よりも高くなるように設定され、
上記ケース体（11）内にて上記仕切り壁部（12）で分けられたご飯・おかず類（２）が、独立状に保持されたことを特徴とする弁当。
【考案の詳細な説明】
【技術分野】
【０００１】
本考案は、コンビニエンスストアーやスーパー等で販売される弁当に関するものである。
【背景技術】
【０００２】
従来の弁当として、内部に仕切りが形成された上方開口状のケース本体内に、仕切り毎にご飯・おかず類を分けて入れ、その上から上蓋が被せられ、かつ、そのケース本体及び上蓋の周囲に包装フィルムを被覆して、密封包囲して製造されたものが知られている。包装フィルムは、例えば、熱収縮性の良好なものから成り、中間包装体をシュリンクトンネル内を通過させること等により加熱され熱収縮して、ケース本体及び蓋に密着する。
【考案の開示】
【考案が解決しようとする課題】
【０００３】
この従来の弁当は、包装フィルムの密封によって、おかず類の煮汁等がフィルムの外部に漏れ出すことはないが、運搬等によって傾いたり揺れると、ケース本体内で、ご飯や複数種のおかず及びその煮汁が、仕切りを乗り越えて入り混じってしまい、夫々の本来の味を堪能できなくなる。
そこで、本考案は、揺れたり横転しても、ご飯・複数種のおかず類が相互に入り混じるのが阻止され、開封して食べる際に、ご飯やおかず類の個別の味を堪能でき、かつ、衛生的に保持して劣化しにくい弁当を提供することを目的とする。
【課題を解決するための手段】
【０００４】
上記の目的を達成するために、本考案に係る弁当は、上方開口状ケース本体と、該ケース本体内に密接状に収納されると共にご飯・おかず類が入れられた複数の上方開口状小ケース体と、内部を真空状態にして該ケース本体及び該複数の小ケース体を密封包囲した真空パック袋と、を備えたものである。
【０００５】
また、本考案に係る弁当は、上方開口状ケース本体と、該ケース本体内に密接状に収納されると共に上端縁部が該ケース本体の上端縁部よりも高くなるように設定されご飯・おかず類が入れられた複数の上方開口状小ケース体と、内部を真空状態にして該ケース本体及び該複数の小ケース体を密封包囲した真空パック袋と、を備え、各上記小ケース体内に入れられたご飯・おかず類が、独立状に保持されたものである。
【０００６】
また、本考案に係る弁当は、上方開口状ケース本体と、上端縁部が縦断面においてアール状に形成されると共に該ケース本体内に密接状に収納されご飯・おかず類が入れられた複数の上方開口状小ケース体と、内部を真空状態にして該ケース本体及び該複数の小ケース体を密封包囲した真空パック袋と、を備え、各上記小ケース体内に入れられたご飯・おかず類が、独立状に保持されたものである。
【０００７】
また、本考案に係る弁当は、上方開口状ケース本体と、該ケース本体内に収納されると共に外周壁部を有し該外周壁部の内部に仕切り壁部を有してご飯・おかず類が複数に分けて入れられた上方開口状内装ケース体と、内部を真空状態にして該ケース本体及び該内装ケース体を密封包囲した真空パック袋と、を備え、上記内装ケース体の上記仕切り壁部及び上記外周壁部の各上端縁部が、上記ケース本体の上端縁部よりも高くなるように設定され、上記内装ケース体内にて上記仕切り壁部で分けられたご飯・おかず類が、独立状に保持されたものである。
【０００８】
また、本考案に係る弁当は、外周壁部と該外周壁部の内部の仕切り壁部とを有して該仕切り壁部にてご飯・おかず類が複数に分けて入れられた上方開口状ケース体と、内部を真空状態にして該ケース体を密封包囲した真空パック袋と、を備え、上記ケース体の上記仕切り壁部の上端縁部が、上記ケース体の上記外周壁部の上端縁部よりも高くなるように設定され、上記ケース体内にて上記仕切り壁部で分けられたご飯・おかず類が、独立状に保持されたものである。
【考案の効果】
【０００９】
本考案は、次のような著大な効果を奏する。
本考案に係る弁当は、揺れたり横転することがあっても、各小収納空間内のご飯・おかず類が独立状に保持されているので漏れ出ることがない。よって、一の小収納空間内のご飯やおかず及びその煮汁等が、他の小収納空間内のご飯・おかず類と混合せず、かつ、臭いが移ることもなく、開封して食べる際に、ご飯やおかず類の味を、個別に堪能できる。そして、真空パックによって密封保存するので、ご飯・おかず類を、衛生的に長持ちさせることができ、劣化しにくい。
また、弁当を縦にして持ち運ぶこともでき、業者や購入者にとって便利である。
【考案を実施するための最良の形態】
【００１０】
以下、実施の形態を示す図面に基づき、本考案を詳説する。
図１，図２，図３及び図４は本考案に係る弁当の実施の一形態を示し、この弁当は、上方開口状ケース本体１と、ケース本体１内に密接状に収納されご飯・おかず類２が入れられた複数の上方開口状小ケース体３…を、備える。
ケース本体１と各小ケース体３は、例えばプラスチックや発泡樹脂や防水された紙等から成り、後述の真空パック作業時や電子レンジで温める際に変形したり潰れることの無い材質とする。
【００１１】
ケース本体１は、図例のように偏平矩形状に形成されたり、偏平丸形、楕円形等に形成される。
各小ケース体３は平面視において正方形や長方形等の矩形状に形成され、複数の小ケース体３…が、ケース本体１内に相互に密接状に（隙間無く連続状に）収納される。図例では、全ての小ケース体３…は、同じ大きさの平面視正方形状に形成され、ケース本体１内を16分割するように設定されているが、小ケース体３…の大きさ・形状・数量は変更自在であり、入れるご飯・おかず類２…の種類・数量に応じて、様々に設定される。また、図示省略するが、ご飯を入れるための小ケース体３を、他の小ケース体３…よりも大きな矩形状に形成したり、各小ケース体３を、相互に密接するように（ケース本体１内に隙間無く収納可能として）平面視弯曲状に形成してもよい。
また、各小ケース体３は、その上端縁部３ａがケース本体１の上端縁部１ａよりも所定寸法Ｈ高くなるように、設定される（図２参照）。所定寸法Ｈは、５mm以下に設定されるのが良く、特には３mmが良い。所定寸法Ｈが５mm超過であると、真空パック時に小ケース体３の上端縁部３ａが破損する虞れがある。
また、各小ケース体３の上端縁部３ａは、縦断面においてアール状に形成される。
【００１２】
かつ、この弁当は、内部が真空状態にされてケース本体１及び複数の小ケース体３…を密封包囲する真空パック袋４を、備えている。
真空パック袋４は、内部が見える透明乃至半透明の、電子レンジで温めるのに耐えうるビニールや薄いフィルム等がよい。この真空パック袋４によって、ケース本体１及び複数の小ケース体３…が包囲される（図２参照）。
図３及び図４は、真空パック袋４が、図示省略の真空包装機（真空容器，真空ポンプ，シール用加熱部等から成る）によって、真空状態にされると共に、開口部端部が加熱融着されて融着部10として閉じられて、ケース本体１及び複数の小ケース体３…を密封包囲した状態を示す。この状態で、真空パック袋４の内面は、各小ケース体３の上端縁部３ａ、及び、ご飯・おかず類２…に上方から密着状となり、各小ケース体３内のご飯・おかず類２が内部から外部へ漏れ出るのが、防止される。
【００１３】
図４に於て、５は、ケース本体１及び複数の小ケース体３…を真空パック袋４で密封包囲したものの上方から被せる上蓋である。この上蓋５は、例えば、透明乃至半透明の板状プラスチック等の周囲辺を下向きに折曲げて、成る。
また、上蓋５を被せる前に、上記の真空パック袋４で密封包囲したものの上方へ、二点鎖線で示す補助蓋８を被せてもよい。この補助蓋８は、透明乃至半透明の薄板状プラスチック等から成り、ケース本体１内に収納された複数の小ケース体３…の上端縁部３ａ…に対応して形成された複数列の溝条部８ａ…を、有する。
【００１４】
次に、図５は本考案に係る弁当の他の実施の形態を示し、この弁当は、ご飯・おかず類２…が入れられた小ケース体３…と真空パック袋４の内面との間に防水シート７が挟持され、密封包囲される点で、図１〜図４に示した弁当と相違する。防水シート７は、透明乃至半透明で、耐熱性を有する柔軟なビニールから成り、少なくとも片面（下向きとなる面）に防水性を有するのが好ましい。
【００１５】
次に、図６及び図７は本考案に係る弁当の別の実施の形態を示し、この弁当は、防水シート７と真空パック袋４の内面との間に嵌め蓋６が挟持され、密封包囲される点で、図５に示した弁当と相違する。嵌め蓋６は、小ケース体３…の上端縁部３ａ…が嵌まる凹溝６ａが、形成されている。嵌め蓋６は、例えば、透明乃至半透明の耐熱性を有する樹脂等から成る。
【００１６】
次に、図８は本考案に係る弁当のさらに別の実施の形態を示し、この弁当は、ケース本体１内に、単体の上方開口状内装ケース体18が収納される点で、図１〜図３の弁当と相違する。この内装ケース体18は、上方開口の偏平矩形状を、有し、ケース本体１の内部に略密接状に（隙間なく）収納される。
具体的には、内装ケース体18は、平板状底面部21と、底面部21の外周に沿って立設された外周壁部20と、外周壁部20の内側にて底面部21上に立設された仕切り壁部19と、を一体成型したものである。仕切り壁部19は、例えば、外周壁部20内を複数に分割（16分割等）するような平面視格子形状を有し、内装ケース体18は、仕切り壁部19によって、複数の小収納空間22…が、形成される。内装ケース体18の材質は、既述の小ケース体３と同じ材質が、好ましい。
そして、内装ケース体18の仕切り壁部19・外周壁部20の各上端縁部19ａ，20ａが、ケース本体１の上端縁部１ａよりも所定寸法Ｈ（大きさは図２にて既述の説明参照）高くなるように設定される。
また、内装ケース体18の仕切り壁部19・外周壁部20の各上端縁部19ａ，20ａは、縦断面においてアール状に形成される。
【００１７】
次に、図９は本考案に係る弁当のさらに別の実施の形態を示し、この弁当は、ご飯・おかず類２が入れられたケース体11を、真空パック袋４で密封包囲したものである。
具体的には、ケース体11は、平板状底面部14と、底面部14の外周に沿って立設された外周壁部15と、外周壁部15の内側にて底面部14上に立設された仕切り壁部12と、を一体成型したものである。仕切り壁部12は、例えば、外周壁部15内を複数に分割（16分割等）するような平面視格子形状を有し、ケース体11は、仕切り壁部12によって、複数の小収納空間16…が形成される。ケース体11の材質は、既述のケース本体１と同じ材質が好ましい。
かつ、ケース体11に於て、仕切り壁部12の上端縁部12ａが、外周壁部15の上端縁部15ａよりも所定寸法Ｈ高くなるように設定される。
また、ケース体11の仕切り壁部12の上端縁部12ａが、縦断面においてアール状に形成される。
【００１８】
次に、本考案の弁当をつくる手順・方法について説明する。
図１〜図４にて既述した弁当に於ては、先ず、図１のように、ケース本体１内に、ご飯・おかず類２が夫々入れられた小ケース体３…を、収納する。小ケース体３…は、相互に密接状に（隙間無く）収納される。おかず類は、煮物や漬け物や果物等何でもよく、各小ケース体３の上端縁部３ａを超えない高さまで入れられる。
次いで、図２のように、真空パック袋４を、ケース本体１及び複数の小ケース体３…に包囲する。
そして、真空パック袋４を、図示省略の真空包装機（真空容器，真空ポンプ，シール用加熱部等から成る）によって、矢印９のように真空状態にすると共に、開口部端部を加熱融着して融着部10として閉じる。
すると、図３及び図４のように、真空パック袋４の内面が、各小ケース体３の上端縁部３ａ、及び、ご飯・おかず類２…に上方から密着状となり、ご飯・おかず類２…を独立状に保持して、各小ケース体３内のご飯・おかず類２が内部から外部へ漏れ出るのが、阻止される。よって、一の小ケース体３内のご飯やおかず及びその煮汁等が、他の小ケース体３内のご飯・おかず類２と混合しない。また、大気圧により、真空パック袋４が、各小ケース体３を密封包囲するので、小ケース体３はケース本体１内でがたつかない。
そして、真空パックした上から、上蓋５を被せれば弁当が完成する。上蓋５を被せる前に、補助蓋８を被せても良い。
【００１９】
次に、図５にて既述した弁当に於ては、ケース本体１内に、ご飯・おかず類２が夫々入れられた小ケース体３…を収納すると共に、小ケース体３…の上から防水シート７を被覆させた後で、真空パック袋４を、ケース本体１及び複数の小ケース体３…に包囲する。
そして、図１〜図４にて説明したように、真空包装機で真空パック作業を行って、弁当が製造される。防水シート７は、各小ケース体３の上端縁部３ａ、及び、ご飯・おかず類２…に上方から密着状となる。この防水シート７によって、各小ケース体３内のご飯・おかず類２が漏れ出るのが、一層しっかりと阻止される。
【００２０】
次に、図６，図７にて既述した弁当に於ては、先ず、図６のように、ケース本体１内に、ご飯・おかず類２が夫々入れられた小ケース体３…を収納して、その上から、防水シート７、嵌め蓋６を順に被せる。そして、それらを、真空パック袋４で包囲する。
そして、真空パック袋４を、図示省略の真空包装機によって、矢印９のように真空状態にすると共に、開口部端部を加熱融着して融着部10として閉じて、図７の状態にする。
防水シート７は、各小ケース体３の上端縁部３ａ、及び、ご飯・おかず類２…に上方から密着状となる。また、真空パック袋４の内面が、大気圧により、嵌め蓋６の上面に密着状となって押えつけるので、防水シート７が、各小ケース体３の上端縁部３ａと、嵌め蓋６の凹溝６ａとで挟持されて、各小ケース体３内のご飯・おかず類２が漏れ出るのが、阻止される。
【００２１】
次に、図８にて既述した弁当に於ては、ケース本体１内に、ご飯・おかず類２が各小収納空間22毎に入れられた内装ケース体18を収納すると共に、真空パック袋４を、ケース本体１及び内装ケース体18に包囲する。
そして、図１〜図４にて説明したように、真空包装機で真空パック作業を行って、弁当が製造される。
【００２２】
次に、図９にて既述した弁当に於ては、ご飯・おかず類２が各小収納空間16毎に入れられたケース体11に、真空パック袋４を包囲し、真空包装機で真空パック作業を行って、弁当を製造する。
なお、図８，図９の弁当が、図４〜図７にて既述した防水シート７、上蓋５、補助蓋８等を、所望により備えるのもよい。
【００２３】
以上のように、本考案に係る弁当は、上方開口状ケース本体１と、ケース本体１内に密接状に収納されると共にご飯・おかず類２が入れられた複数の上方開口状小ケース体３と、内部を真空状態にしてケース本体１及び複数の小ケース体３を密封包囲した真空パック袋４と、を備えているので、弁当が揺れたり横転することがあっても、各小ケース体３内のご飯・おかず類２が漏れ出ることがなく、ご飯・おかず類２を、各小ケース体３内で完全に独立状に保つことができる。よって、一の小ケース体３内のご飯やおかず及びその煮汁等が、他の小ケース体３内のご飯・おかず類２と混合せず、かつ、臭いが移ることもないので、開封して食べる際に、ご飯やおかず類の味を、個別に堪能できる。
そして、真空パックによって密封保存するので、ご飯・おかず類２を、衛生的に長持ちさせることができ、劣化しにくい。
また、小ケース体３…は、ケース本体１内に密接状に収納された状態で真空パック袋４で密封包囲されるので、弁当全体が揺れても、小ケース体３がケース本体１内を移動せず、しっかりと元の状態に保持できる。
また、電子レンジで温める際に、真空パック袋４を外して、温めたくないもの（果物等）の小ケース体３を、容易に取出すことができる。
また、複数の小ケース体３…を詰め替えする作業をすればよいので、仕切りが形成されたケース本体に比べ、容易に弁当詰め作業を行えて、効率がよい。
また、弁当を縦にしておくことができるので、業者や購入者にとって持ち運びに便利である。
【００２４】
また、弁当は、上方開口状ケース本体１と、ケース本体１内に密接状に収納されると共に上端縁部３ａがケース本体１の上端縁部１ａよりも高くなるように設定されご飯・おかず類２が入れられた複数の上方開口状小ケース体３と、内部を真空状態にしてケース本体１及び複数の小ケース体３を密封包囲した真空パック袋４と、を備え、各小ケース体３内に入れられたご飯・おかず類２が、独立状に保持されているので、弁当が揺れたり横転することがあっても、各小ケース体３内のご飯・おかず類２が内部から外部へ漏れ出ることがない。よって、一の小ケース体３内のご飯やおかず及びその煮汁等が、他の小ケース体３内のご飯・おかず類２と混合せず、かつ、臭いが移ることもないので、開封して食べる際に、ご飯やおかず類の味を、個別に堪能できる。そして、真空パックによって密封保存するので、ご飯・おかず類２を、衛生的に長持ちさせることができ、劣化しにくい。また、小ケース体３…は、ケース本体１内に密接状に収納された状態で真空パック袋４で密封包囲されるので、弁当全体が揺れても、小ケース体３がケース本体１内を移動せず、しっかりと元の状態に保持できる。
さらに、小ケース体３の上端縁部３ａが、ケース本体１の上端縁部１ａよりも高くなるように設定されているので、真空パック袋４の内面が、各小ケース体３の上端縁部３ａにしっかりと密着して、小ケース体３内から、ご飯・おかず類２が漏れ出るのを、確実に阻止できる。
また、複数の小ケース体３…を詰め替えする作業をすればよいので、仕切りが形成されたケース本体に比べ、容易に弁当詰め作業を行えて、効率がよい。
また、弁当を縦にしておくことができるので、業者や購入者にとって持ち運びに便利である。
【００２５】
また、弁当は、上方開口状ケース本体１と、上端縁部３ａが縦断面においてアール状に形成されると共にケース本体１内に密接状に収納されご飯・おかず類２が入れられた複数の上方開口状小ケース体３と、内部を真空状態にしてケース本体１及び複数の小ケース体３を密封包囲した真空パック袋４と、を備え、各小ケース体３内に入れられたご飯・おかず類２が、独立状に保持されているので、弁当が揺れたり横転することがあっても、各小ケース体３内のご飯・おかず類２が内部から外部へ漏れ出ることがない。よって、一の小ケース体３内のご飯やおかず及びその煮汁等が、他の小ケース体３内のご飯・おかず類２と混合せず、かつ、臭いが移ることもないので、開封して食べる際に、ご飯やおかず類の味を、個別に堪能できる。そして、真空パックによって密封保存するので、ご飯・おかず類２を、衛生的に長持ちさせることができ、劣化しにくい。また、小ケース体３…は、ケース本体１内に密接状に収納された状態で真空パック袋４で密封包囲されるので、弁当全体が揺れても、小ケース体３がケース本体１内を移動せず、しっかりと元の状態に保持できる。
さらに、小ケース体３の上端縁部３ａが縦断面においてアール状に形成されているので、真空パック袋４の内面が、各小ケース体３の上端縁部３ａにしっかりと密着して、小ケース体３内から、ご飯・おかず類２が漏れ出るのを、確実に阻止できる。
また、複数の小ケース体３…を詰め替えする作業をすればよいので、仕切りが形成されたケース本体に比べ、容易に弁当詰め作業を行えて、効率がよい。
また、弁当を縦にしておくことができるので、持ち運びに便利である。
【００２６】
また、弁当は、上方開口状ケース本体１と、ケース本体１内に収納されると共に外周壁部20を有し外周壁部20の内部に仕切り壁部19を有してご飯・おかず類２が複数に分けて入れられた上方開口状内装ケース体18と、内部を真空状態にしてケース本体１及び内装ケース体18を密封包囲した真空パック袋４と、を備え、内装ケース体18の仕切り壁部19及び外周壁部20の各上端縁部19ａ，20ａが、ケース本体１の上端縁部１ａよりも高くなるように設定され、内装ケース体18内にて仕切り壁部19で分けられたご飯・おかず類２が、独立状に保持されているので、弁当が揺れたり横転することがあっても、仕切り壁部19から成る各小収納空間22…内から、ご飯・おかず類２が外部へ漏れ出ることがない。よって、一の小収納空間22内のご飯やおかず及びその煮汁等が、他の小収納空間22内のご飯・おかず類２と混合せず、かつ、臭いが移ることもないので、開封して食べる際に、ご飯やおかず類の味を、個別に堪能できる。そして、弁当を縦にしておくことができるので、持ち運びに便利である。
そして、真空パックによって密封保存するので、ご飯・おかず類２を、衛生的に長持ちさせることができ、劣化しにくい。
さらに、内装ケース体18の仕切り壁部19及び外周壁部20の各上端縁部19ａ，20ａが、ケース本体１の上端縁部１ａよりも高くなるように設定されているので、真空パック袋４の内面が、各上端縁部19ａ，20ａにしっかりと密着して、各収納空間22内から、ご飯・おかず類２が漏れ出るのを、確実に阻止できる。
【００２７】
また、弁当は、外周壁部15と外周壁部15の内部の仕切り壁部12とを有して仕切り壁部12にてご飯・おかず類２が複数に分けて入れられた上方開口状ケース体11と、内部を真空状態にしてケース体11を密封包囲した真空パック袋４と、を備え、ケース体11の仕切り壁部12の上端縁部12ａが、ケース体11の外周壁部15の上端縁部15ａよりも高くなるように設定され、ケース体11内にて仕切り壁部12で分けられたご飯・おかず類２が、独立状に保持されているので、弁当が揺れたり横転することがあっても、仕切り壁部12から成る各小収納空間16…内から、ご飯・おかず類２が外部へ漏れ出ることがない。よって、一の小収納空間16内のご飯やおかず及びその煮汁等が、他の小収納空間16内のご飯・おかず類２と混合せず、かつ、臭いが移ることもないので、開封して食べる際に、ご飯やおかず類の味を、個別に堪能できる。そして、弁当を縦にしておくことができるので、持ち運びに便利である。
そして、真空パックによって密封保存するので、ご飯・おかず類２を、衛生的に長持ちさせることができ、劣化しにくい。
さらに、ケース体11の仕切り壁部12の上端縁部12ａが、ケース体11の外周壁部15の上端縁部15ａよりも高くなるように設定されているので、真空パック袋４の内面が、各上端縁部12ａ，15ａにしっかりと密着して、各収納空間16内から、ご飯・おかず類２が漏れ出るのを、確実に阻止できる。
【図面の簡単な説明】
【００２８】
【図１】本考案に係る弁当の実施の一形態を示す説明用斜視図である。
【図２】説明用断面側面図である。
【図３】斜視図である。
【図４】断面側面図である。
【図５】本考案に係る弁当の他の実施の形態を示す断面側面図である。
【図６】本考案に係る弁当の別の実施の形態を示す説明用断面側面図である。
【図７】断面側面図である。
【図８】本考案に係る弁当のさらに別の実施の形態を示す断面側面図である。
【図９】本考案に係る弁当のさらに別の実施の形態を示す断面側面図である。
【符号の説明】
【００２９】
１  ケース本体
１ａ  上端縁部
２  ご飯・おかず類
３  小ケース体
３ａ  上端縁部
４  真空パック袋
11  ケース体
12  仕切り壁部
12ａ  上端縁部
15  外周壁部
15ａ  上端縁部
18  内装ケース体
19  仕切り壁部
19ａ  上端縁部
20  外周壁部
20ａ  上端縁部
【図１】
0003113186.tif 000003
【図２】
0003113186.tif 000004
【図３】
0003113186.tif 000005
【図４】
0003113186.tif 000006
【図５】
0003113186.tif 000007
【図６】
0003113186.tif 000008
【図７】
0003113186.tif 000009
【図８】
0003113186.tif 000010
【図９】
0003113186.tif 000011